(57)【要約】キャビン（５）と、キャビン（５）の両側に対称に分布される第一推進器取付構造（１）及び第二推進器取付構造（８）と、キャビン（５）の両側に対称に分布される第一接続構造（２）及び第二接続構造（７）と、を含み、第一推進器取付構造（１）は第一接続構造（２）を介してキャビン（５）に接続され、第二推進器取付構造（８）は第二接続構造（７）を介してキャビン（５）に接続され、第一接続構造（２）及び第二接続構造（７）にはいずれも把持用のハンドルが設けられており、第一推進器取付構造（１）の軸線は第二推進器取付構造（８）の軸線と平行ではない、ことを特徴とする水中ブースターを提供する。この構成により、ユーザ体験を向上させることができる。【選択図】  図１
2021528299.tif 000002
【特許請求の範囲】
【請求項１】
キャビンと、
前記キャビンの両側に対称に分布される第一推進器取付構造及び第二推進器取付構造と、
前記キャビンの両側に対称に分布される第一接続構造及び第二接続構造と、を含み、
前記第一推進器取付構造は第一接続構造を介して前記キャビンに接続され、前記第二推進器取付構造は前記第二接続構造を介して前記キャビンに接続され、前記第一接続構造及び前記第二接続構造にはいずれも把持用のハンドルが設けられており、
前記第一推進器取付構造の軸線は前記第二推進器取付構造の軸線と平行ではない、ことを特徴とする水中ブースター。
【請求項２】
前記第一推進器取付構造の軸線と前記第二推進器取付構造の軸線は前記ブースターの進行方向で交差し、かつ交差して形成される夾角の度数範囲は（０、６０］を含む、ことを特徴とする請求項１に記載の水中ブースター。
【請求項３】
前記第一接続構造および前記第二接続構造は、シングルロッド形状およびマルチロッド形状を含む、ことを特徴とする請求項１又は請求項２に記載の水中ブースター。
【請求項４】
前記第一接続構造及び前記第二接続構造は「工」字形を含む、ことを特徴とする請求項１から請求項３のいずれか一項に記載の水中ブースター。
【請求項５】
前記第一接続構造及び前記第二接続構造は「Ｔ」字形及び逆「Ｔ」字形を含む、ことを特徴とする請求項１から請求項４のいずれか一項に記載の水中ブースター。
【請求項６】
前記第一推進器取付構造及び第二推進器取付構造内に設置される第一推進器及び第二推進器と、
前記キャビン内に固定される電源及び制御回路と、をさらに含み、
前記制御回路の入力端は前記電源に接続され、前記制御回路の二つの出力端はそれぞれケーブルを介して、前記第一接続構造及び前記第二接続構造を通って、それぞれ前記第一推進器、前記第二推進器に接続される、ことを特徴とする請求項１から請求項５のいずれか一項に記載の水中ブースター。
【請求項７】
前記制御回路のオンオフを制御する制御スイッチをさらに含み、
前記第一接続構造および／または前記第二接続構造には、さらに、制御スイッチの取付チャンバが設けられており、前記取付チャンバには、防水用のシール部材が設けられている、ことを特徴とする請求項６に記載の水中ブースター。
【請求項８】
前記キャビンに設けられ、前記制御回路に接続されており、前記電源、前記第一推進器、前記第二推進器のパラメータ情報を表示する電子指示装置、をさらに含むことを特徴とする請求項６又は請求項７に記載の水中ブースター。
【発明の詳細な説明】
【技術分野】
【０００１】
＜関連出願の引用＞
本開示は、２０１８年６月２１日に中華人民共和国国家知識産権局に提出された出願番号は２０１８１０６４４３１７．７、発明名称は「水中ブースター」の中国特許出願及び出願番号は２０１８２０９６０８９３．８、考案名称は「水中ブースター」の中国実用新案出願の全ての権益を要求しており、引用の方式でその全文を本開示に組み込む。
【０００２】
本開示は、概して水中装置の技術分野に関する。より具体的に、本開示は、水中ブースターに関する。
【背景技術】
【０００３】
関連技術において、水中ブースターは、水中作業者に補助推進力を提供する工具であり、水中の移動速度及び作業効率を向上させる。
【０００４】
現在、国内外の関連製品の種類が少なく、既存製品においてシングル推進器の設計方式がメインである。当該シングル推進器には一般的に、電源、制御回路及びモータ等を収納するための一つのサイズが大きいキャビンを有しており、キャビンの上方前部には、ダブルハンドルが設けられており、キャビンの上方後部には、プロペラ及びナセルが設けられている。
【０００５】
発明者らは、本開示を実現する過程において、当該種類の製品の設計方式により、実際の使用中に、推進器が潜水者の下方に位置しており、潜水者は、人体が推進器の運転による水流を回避するように、常に腕の力でハンドルを押圧すことにより推進器の効率を最大限に発揮させるとともに、スラスト線と人体線型とが同一直線上にないことによるモーメントを継続的な腕の力で相殺する必要があり、人機の体験が良くないことを見出した。
【発明の概要】
【０００６】
一方、本開示は、キャビンと、キャビンの両側に対称に分布される把持するための第一推進器取付構造及び第二推進器取付構造と、キャビンの両側に対称に分布される第一接続構造及び第二接続構造と、を含み、第一推進器取付構造は第一接続構造を介してキャビンに接続され、第二推進器取付構造は前記第二接続構造を介してキャビンに接続され、第一接続構造及び/又は第二接続構造には把持用のハンドルが設けられており、第一推進器取付構造の軸線は第二推進器取付構造の軸線と平行ではない、ことを特徴とする水中ブースターを提供する。
【０００７】
これにより、本開示はダブル推進器構造を有する水中ブースターを提供する。ダブル推進器取付構造の軸線が平行ではないため、ダブル推進器を取り付けた後に発生する推力合力の方向と人体線型とが基本的に同一直線に位置するため、腕の力でスラスト線と人体線とが同一直線上にないことにより発生するモーメントを相殺する必要がなく、ユーザは、接続構造を把持することにより水中でブースターを制御してユーザの指定した方向に動作させることができるため、ユーザ体験が良い。
【０００８】
いくつかの実施形態では、第一推進器取付構造の軸線と第二推進器取付構造の軸線はブースターの進行方向で交差し、交差して形成される夾角の度数範囲は（０、６０］を含む。
【０００９】
これにより、推進器取付構造を軸線が進行方向で交差するように設置することで、推進器を取り付けた後、推進器の動作により発生した水流を人体両側に噴射させることができるため、人体に衝撃を与えにくくなる。この配置により、推進器の動作によって生成される水流を人体が妨げないようにし、推進器の効率を最大限に発揮させることができる。
【００１０】
いくつかの実施形態では、人体、腕及びスラスト線を基本的に同一平面に位置させることができるため、人機の体験が良い。
【００１１】
いくつかの実施形態では、夾角の範囲を制御することにより、推進器の動作による水流を人体が妨げないようにすることができるとともに、最後に形成される真後ろへの推力の大きさもあまり影響を受けない。
【００１２】
いくつかの実施形態では、第一接続構造および第二接続構造は、シングルロッド形状およびマルチロッド形状を含む。
【００１３】
これにより、シングルロッド形状に設けられ、該シングルロッド形状に把持用のハンドルが設けられる場合、全体構造が簡潔で且つ軽量であり、ユーザ体験がより良い。マルチロッド形状に設けられる場合、接続構造がより安定で、破損しにくく、寿命が長くなる。
【００１４】
いくつかの実施形態では、第一接続構造及び第二接続構造は「工」字形を含む。
【００１５】
これにより、接続構造が比較的安定していると同時に、ハンドルの位置を「工」字形の鉛直部分に設置することで、使用時により自然に把持することができ、ユーザー体験をさらに向上させることができる。
【００１６】
いくつかの実施形態では、第一接続構造及び第二接続構造は「Ｔ」字形及び逆「Ｔ」字形を含む。
【００１７】
これにより、接続構造がよりシンプルで軽量であると同時に、ハンドルの位置を「Ｔ」字形の鉛直部分に設置することで、使用時により自然に把持することができ、手触りがより良い。
【００１８】
いくつかの実施形態では、第一推進器取付構造、第一接続構造、キャビン、第二接続構造及び第二推進器取付構造は、一体成型された構造であり、さらに、第一推進器取付構造、第一接続構造、キャビン、第二接続構造及び第二推進器取付構造は（０、１８０］内の特定角度を形成する。
【００１９】
これにより、一体成形は製造が容易であり、特定角度を形成することにより、全体の構造をより美しくさせ、全体に必要な収容長さを減少させることができる。
【００２０】
いくつかの実施形態では、第一接続構造及び第二接続構造とキャビンとの接続関係は、いずれもキャビンの中心軸線の周りに回転し且つ少なくとも一つの予め設定された位置でセルフロックを実現できるように設置される。
【００２１】
これにより、接続構造は調整され、予め設定された位置でセルフロックを実現することで、ユーザが使用する時、自分のニーズに応じて接続構造を適切な位置に調整することができる。
【００２２】
いくつかの実施形態では、第一接続構造及び第二接続構造のいずれかの接続構造が回転される場合、第一接続構造及び第二接続構造の他の接続構造が同期回転され、第一接続構造及び第二接続構造が常にキャビンの両側に対称に分布されることを維持できる。
【００２３】
これにより、そのうち一つの接続構造を調整するだけで、二つの接続構造の連動を実現することができる。このように、使用が簡単で、接続構造の間は常にキャビンに対して対称であり、ユーザの水中使用体験に影響を与えない。
【００２４】
いくつかの実施形態では、第一接続構造及び第二接続構造はいずれも伸縮スリーブの構造を有し、第一接続構造及び第二接続構造を延伸及び還元することができる。
【００２５】
これにより、接続構造は、異なるユーザが自分のニーズに合わせてカスタマイズできるように、延伸及び還元できるように設けられる。
【００２６】
いくつかの実施形態では、水中ブースターは、第一推進器取付構造及び第二推進器取付構造内に設けられる第一推進器及び第一推進器と、キャビン内に固定される電源及び制御回路と、をさらに含む。制御回路の入力端は電源に接続され、制御回路の二つの出力端はそれぞれケーブルを介して、第一接続構造及び第二接続構造を通って、第一推進器、第二推進器に接続される。
【００２７】
これにより、電源、制御回路によって推進器を駆動して推力を発生させることで、ブースターの前進運動を制御する。
【００２８】
いくつかの実施形態では、本開示の水中ブースターは、制御回路のオンオフを制御する制御スイッチをさらに含む。第一接続構造及び／又は第二接続構造には、制御スイッチの取り付けチャンバがさらに設けられており、防水のために、取り付けチャンバにはシール部材が設けられている。
【００２９】
これにより、ユーザは接続構造におけるスイッチを押すことにより、制御回路のオンオフを制御し、ブースターの運動又は停止を制御することができる。
【００３０】
いくつかの実施形態では、本開示の水中ブースターは、キャビンに設けられ、制御回路に接続され、電源、第一推進器及び／又は第二推進器のパラメータ情報を表示するために用いられる電子指示装置をさらに含む。
【００３１】
これにより、ユーザに各装置のパラメータ情報を表示することにより、ユーザに、ブースターの状態をタイムリーに知らせることができる。
【００３２】
いくつかの実施形態では、本開示の水中ブースターは、キャビンに設けられる外付けマウントをさらに含む。外付けマウントには、外部装置をキャビンに固定するための取付部材が設けられる。
【００３３】
これにより、ブースターに外部機器をマウントすることができるため、ユーザ体験を向上させることができる。
【図面の簡単な説明】
【００３４】
本開示における実施例の技術案をより明確に説明するために、以下では、実施例の説明において使用される図面を簡単に紹介する。明らかに、以下の説明における図面は、本開示のいくつかの実施例であり、当業者にとって、創造的な労働がなくても、これらの図面に基づいて他の図面を得ることができる。
【００３５】
【図１】本開示の一実施例に係る水中ブースターの平面図である。
【図２】本開示の一実施例に係る水中ブースターの立体図である。
【図３】本開示の一実施例に係る水中ブースターの正面図である。
【図４】本開示の一実施例に係る水中ブースターの底面図である。
【図５】本開示の一実施例に係る水中ブースターのＡ−Ａ方向の断面図である。
【図６】本開示の一実施例に係る水中ブースターの構造分解概略図である。
【００３６】
１-第一推進器取付構造、２-第一接続構造、３-第一制御スイッチ、４-電子指示装置、５-キャビン、６-第二制御スイッチ、７-第二接続構造、８-第二推進器取付構造、９-外付けマウント、１０-第一推進器、１１-第二推進器、２１-接続構造キャビティ、５１-密封キャビティ、８１-筒体、８２-複数の支持板、８３-取付座。
【発明を実施するための形態】
【００３７】
本開示の実施例の目的、技術案及び利点をより明確にするために、以下では、本開示の実施例における図面に合わせて、本開示の実施例における技術案を明確かつ完全に説明する。明らかに、記載された実施例は本開示の一部の実施例であり、全ての実施例ではない。本開示の実施例に基づいて、当業者が創造的な労働をしない前提で得られた全ての他の実施例は、いずれも本開示の保護範囲に属する。
【００３８】
図１は、本開示の一実施例に係る水中ブースターの平面図である。図２は、本開示の一実施例に係る水中ブースターの斜視図である。図３は、本開示の一実施例に係る水中ブースターの正面図である。図４は、図２の底面図である。図５は、図２のＡ−Ａ方向の断面図である。図６は、図２の分解概略図である。
【００３９】
図１を参照すると、本開示の一実施形態に係る水中ブースターの平面図が示されている。当該水中ブースターは、キャビン５と、キャビンの両側に対称に分布される第一推進器取付構造１及び第二推進器取付構造８と、キャビン両側に対称に分布される把持用の第一接続構造２及び第二接続構造７と、を備えており、第一推進器取付構造１は第一接続構造２を介してキャビン５に接続され、第二推進器取付構造８は第二接続構造７を介してキャビン５に接続される。第一推進器取付構造１の軸線は第二推進器取付構造８の軸線と平行ではない。
【００４０】
本実施形態では、第一接続構造２及び第二接続構造７は固定部材として、第一推進器取付構造１及び第二推進器取付構造８をそれぞれキャビン５に固定することができる。同時に、接続構造でもあり、潜水者が該水中ブースターを使用する時に把持用に使われ、潜水者が両手で把持するのにより便利である。
【００４１】
いくつかの実施形態では、肥満型体型のユーザにとって、ブースター取付構造がブースターの尾部で外側に向くブースター選択することにより、ブースターの動作後、水流が人体の両側に向かって噴射され、ユーザーの体験がより良くなる。
【００４２】
いくつかの実施形態では、体型が痩せている又はより小さいユーザに対して、ブースター取付構造がブースターの尾部で少し内側に向くブースター選択することにより、より強力な推力を持たせることができる。
【００４３】
いくつかの実施形態では、接続構造の形状はシングル／マルチロッド形状、平面／曲面などの形状を含むがこれらに限定されず、接続構造には、人の手で把持するためのハンドル、及び操作位置がある。
【００４４】
いくつかの実施形態では、接続構造の形状は、“工”字形、“Ｔ”字形又は逆“Ｔ”字形にすることができる。
【００４５】
本発明の実施例はダブル推進器構造を有する水中ブースターを提供しており、ユーザは接続構造を把持することにより、ブースターの作用によって水中で自由に活動することができるため、ユーザ体験がが良い。
【００４６】
いくつかの実施形態では、特殊な変形設計のダブル推進器構造及び配置を採用し、より小型、且つ軽量に小型設定することができるため、操作がより柔軟で、人機の体験がより良い。
【００４７】
いくつかの実施形態では、第一推進器取付構造の軸線と第二推進器取付構造の軸線がブースターの進行方向で交差し、すなわち軸線はブースターの頭部の一側で交差し、交差によって形成される夾角の度数は（０、６０］である。
【００４８】
引き続き図１を参照すると、図の下方はブースターの進行方向であり、ａは交差によって形成される夾角であり、ａの度数範囲は（０、６０］を含む。従って、推進器取付構造を軸線が進行方向で交差するように設置することで、推進器を取り付けた後、推進器の動作により発生した水流を人体の両側に噴射させることができ、それにより人体に衝撃を与えにくくなる。この配置は、推進器の動作によって生成される水流を人体が妨げないようにし、推進器の効率を最大限に発揮させることができる。
【００４９】
いくつかの実施形態では、この配置は、人体、腕及びスラスト線を基本的に同一平面に位置させることができるため、人機の体験が良い。
【００５０】
いくつかの実施形態では、第一接続構造および／または第二接続構造は、シングルロッドロッド形状、マルチロッド形状、“工”字形、“Ｔ”字形、および逆“Ｔ”字形を含む。シングル／マルチロッド形状の表面は平面であってもよく、曲面であってもよく、ロッドは直線ロッドであっても曲線ロッドであってもよい。ハンドルはシングル／マルチロッド形状のうちの一本のロッドであってもよく、シングル／マルチロッド形状のうちの一本のロッドに位置してもよく、ハンドルは“工”字形、“Ｔ”字形及び逆“Ｔ”字形の“Ｉ”部分に設けられてもよく、“一”部分に位置してもよく、本開示はこれに制限がない。したがって、接続構造は様々な構造を有することができるため、ハンドルの位置もより柔軟に設定することができ、様々な組み合わせ方式を有することができる。いくつかの実施形態では、“Ｉ”部分である場合、人の手で持つのがより便利である。
【００５１】
いくつかの実施形態では、第一推進器取付構造、第一接続構造、キャビン、第二接続構造、及び第二推進器取付構造は、一体成形された構造である。いくつかの実施形態では、該一体成形の構造は一体成形の中空構造であってもよく、該中空構造において必要な部品（例えば、ケーブル、電源、制御回路等）を取り付ける他の領域内に密度が水より小さい材料を充填することができるが、それにより浮力を生成させ、一部又は全部の重力を相殺することができる。また、接続構造は中実構造であって且つケーブルを貫通するための孔のみを残す構造であってもよく、本開示はこの点について限定がない。いくつかの実施形態では、該一体形成された構造全体が中実であり、水よりも密度が低い材料で作られ、内部に他の部品を置く空間を残すが、本開示はこの点について限定がない。
【００５２】
いくつかの実施形態では、第一接続構造及び第二接続構造とキャビンとの接続関係はいずれもキャビンの中心軸線の周りに回転し且つ少なくとも一つの予め設定された位置でセルフロックを実現できるように設置される。例えば、接続構造とキャビンとの間はヒンジ又は歯車の接続方式を採用し、係止可能な点が設けられ、それにより接続構造が回転した後に少なくとも一つの予め設定された位置でロックを実現することができ、ユーザは接続構造の位置を自主的に調整することができる。いくつかの実施形態では、第一接続構造及び第二接続構造のいずれかの接続構造が回転される場合、第一接続構造及び第二接続構造の他の接続構造が同期回転され、第一接続構造及び第二接続構造が常にキャビンの両側に対称に分布されることを維持し、それにより第一接続構造及び第二接続構造が随時同期を実現することが保証できる。
【００５３】
いくつかの実施形態では、第一接続構造及び第二接続構造はいずれも伸縮スリーブの構造を有するため、第一接続構造及び第二接続構造を延伸及び還元できる。該伸縮スリーブは、例えば、折畳み傘の伸縮可能な傘ロッドの構造であってもよく、伸縮した後にロックできるため、ユーザは第一接続構造及び第二接続構造の長さを調整することができる。
【００５４】
いくつかの実施形態では、第一接続構造の軸線と第二接続構造の軸線とが交差して形成される夾角の範囲は（０、１８０］を含む。従って、１８０度の場合、推力の合力方向が人体線形と同一直線に位置することをよりよく保障し、一定の角度を有した後、推力の合力方向と人体線形が基本的に同一直線に位置することを保証した上で、ある程度で推進器全体の長さを減少し、且つより美観的で、携帯しやすくなる。
【００５５】
図２、図３、及び図４を参照すると、本開示の一実施形態による水中ブースターの斜視図、正面図、及び底面図が示されている。
【００５６】
本実施例において、本開示の水中ブースターは、第一推進器取付構造１及び第二推進器取付構造８内に設けられる第一推進器１０及第二推進器１１と、キャビン内に固定される電源及び制御回路（図示せず）と、をさらに含む。制御回路の入力端は電源に接続され、制御回路の２つの出力端はそれぞれケーブルを介して、第一接続構造及び第二接続構造を通って、第一推進器１０、第二推進器１１に接続される。
【００５７】
いくつかの実施形態では、本開示の水中ブースターは、制御回路のオンオフを制御する制御スイッチをさらに含む。この制御は、手動制御及び遠隔制御装置による遠隔制御の両方を可能に設置することができる。例えば、ある場面では、潜水者によって制御されることが望ましくなく、遠隔制御によって制御されることが望ましい場合がある。この場合、赤外線、ブルートゥース（登録商標）又はＷｉＦｉ信号受信機をキャビン内に設置することで、遠隔制御を実現することができるが、本開示はこれに制限がない。
【００５８】
いくつかの実施形態では、図に示されている第一制御スイッチ３および／または第二制御スイッチ６を含むことができる。第一接続構造２及び／又は第二接続構造７にはさらに制御スイッチの取り付けチャンバが設けられており、防水のために、取り付けチャンバにはシール部材が設けられ、ユーザは制御スイッチを押すことにより推進器を制御して、ブースターの進行を制御することができるが、取り付けチャンバ及び制御スイッチを有する位置はすなわちハンドルである。この第一制御スイッチ３及び／又は第二制御スイッチ６は、接続構造の外側（進行方向側）に設けてもよく、接続構造の内側（進行方向の反対側）に設けてもよく、接続構造の上方に設けてもよく、下方に設けてもよく、キャビンに近接して設けてもよく、キャビンから離れて設けてもよく、両方の接続構造に制御スイッチを設けてもよく、一方の接続構造のみに制御スイッチを設けてもよい。二つのスイッチを設ける場合、並列の方式を採用してもよく、直列の方式を採用してもよいが、本開示はこれに制限がない。
【００５９】
いくつかの実施形態では、制御スイッチの制御方式は押圧等の形式を含むがこれに限定されない。
【００６０】
いくつかの実施形態では、ケーブルは、ハンドルから、またはハンドル以外の他の接続構造から通すことができるが、本開示はこれに制限がない。
【００６１】
いくつかの実施形態では、本開示の水中ブースターは、キャビン５に設けられ、制御回路に接続され、電源、第一推進器１０及び／又は第二推進器１１のパラメータ情報を表示するための電子指示装置４をさらに含む。パラメータ情報は、例えば、残り電力、回転速度、運転可能時間、使用時間等、電子指示装置は、電子ディスプレイ、指示計器、および指示ランプのうちの１つまたは複数の組み合わせであることが可能。
【００６２】
いくつかの実施形態では、ユーザが電子指示装置を容易に観察してもらうために、電子指示装置をキャビンの頂部に取り付けることができる
【００６３】
いくつかの実施形態では、電子指示装置がさらにキャビンのユーザに近い側（進行方向の逆方向）に取り付けられ、それによりユーザは電力量などのパラメータ情報を随時確認することができる。
【００６４】
いくつかの実施形態では、電子指示装置の外側に保護窓を取り付けることで、ユーザは保護窓を介してパラメータを随時確認するできると同時に、電子指示装置をある程度保護することができ、長期的な水流の衝撃による破損を防ぎ、使用寿命を延ばすことができる。
【００６５】
いくつかの実施形態では、該水中ブースターは、キャビン５に設けられる外付けマウント９をさらに含み、当該外付けマウントには、外部装置をキャビンに固定するための取付部材が設けられる。外付けマウント９はキャビン５の外壁に設けられる。外付けマウント９には、外部装置をキャビンに固定するための取付部材が設けられる。外付けマウント９は取付孔、固定ボルト、フック、固定バックル、取付溝及び係止溝のうちの一種又は多数の組み合わせであることが可能。
【００６６】
いくつかの実施形態では、外付けマウント９により、水中ブースターは他の装置、例えば、カメラ装置などを携帯することができる。
【００６７】
いくつかの実施形態では、外付けマウン９はキャビンの底部に設けられ、このようにして取り付け、取り外しなすくなり、走行中の外付け装置の携帯も便利である。
【００６８】
いくつかの実施形態では、外付けマウント９は、ブースター全体のバランスに影響を及ぼさないように、キャビンの底部の幾何学的中心に設置されることができる。
【００６９】
いくつかの実施形態では、外付けマウント９は接続構造に設置されることができるが、本開示はこれに制限がない。
【００７０】
本開示のキャビン及び接続構造の外形は、抵抗を低減し、航続キャパシティを向上させるために、流線型に設けられることができる。
【００７１】
図５および図６を参照すると、図５は図２のＡ?Ａ方向の断面図であり、図６は図２の分解概略図である。
【００７２】
図５に示すように、キャビン５には密封キャビティ５１が設けられ、第一接続構造２と第二接続構造７にはさらに接続構造キャビティ２１が設けられる。密封キャビティ５１は、電源と制御回路を配置するために使用され、接続構造キャビティ２１は、制御回路と推進器を接続するケーブルを通過させることができる。
【００７３】
図６に示すように、第二推進器取付構造８は、筒体８１と、取付座８３と、複数の支持板８２とを含むことができる。
【００７４】
筒体８１は、両端が開口した筒状構造であり、筒状構造の断面が円環状である。取付座８３は環状構造であり、取付座が筒体８１の内部に吊り下げられる。且つ取け座８３と筒体８１の内壁との間には間隔が設けられ、これらの間隔の空間は第二推進器が作動時の水流路を形成する。取付座８３の環状構造の軸線は筒体８１の軸線と平行である。
【００７５】
支持板８２の一端は筒体８１の内壁に固定され、他端は取付座８３の環状構造の外面に固定される。複数の支持板８２は取付座８３の環状構造の外表面に均一に分布される。
【００７６】
いくつかの実施形態では、筒体８１、取付座８３と、支持板８２は、接合によって形成され得る。一つの選択としては、胴体８１、取付座８３、支持板８２は一体射出成形を採用することができ、これにより構造強度がより高くなる。
【００７７】
いくつかの具体的な応用場面では、本開示の水中ブースターが動作する時、両手でそれぞれ第一接続構造及び第二接続構造を把持する必要があり、二つのスイッチをともに押してから機器が起動し始める。
【００７８】
本開示の水中ブースターは、ダブル推進器構造を採用しているため、全体のサイズを市場主要製品の１／４まで縮小、重量を市場主要製品の３５％まで軽量化することができる。機械全体が小型、軽量、見た目が美しく、運搬や持ち運びが便利であり、接続構造の両側のダブル推進器の配置形式を採用しており、デザインがコンパクトで、把持感が快適で、操作が柔軟で、人機体験がより良い。
【００７９】
説明すべきものとして、本文において、“第一”及び“第二”等のような関係用語は、一つの実体又は操作を別の実体又は操作と区別するために用いられ、必ずしもこれらの実体又は操作の間実際の関係又は順序が存在することを要求又は示唆するものではない。また、用語“備える”、“含む”又は他の任意の変形体は、非排他的な包含を含むことを意図し、それにより一連の要素を含むプロセス、方法、物品又は装置は、それらの要素を含むだけでなく、明確に列挙されていない他の要素も含み、又は、このようなプロセス、方法、物品又は装置に固有の要素も含む。それ以上の制限がない場合、語句「一つの…を含む」で限定された要素は、前記要素を含むプロセス、方法、物品又は装置にさらに他の同じ要素が存在することを排除しない。
【００８０】
最後に説明すべきこととして、以上の実施例は本開示の技術案を説明するためのものに過ぎず、それを限定するものではない。前記実施例をを参照して本開示を詳細に説明したが、前記各実施例に記載された技術案を修正したり、又はそのうちの一部の技術的な特徴を均等に置き換えることが可能だと当業者の理解の及ぶところというべきである。しかし、これらの修正又は置き換えは、対応する技術案の本質を本開示の各実施例の技術案の精神及び範囲から逸脱させるものではない。
【図１】
2021528299.tif 000003
【図２】
2021528299.tif 000004
【図３】
2021528299.tif 000005
【図４】
2021528299.tif 000006
【図５】
2021528299.tif 000007
【図６】
2021528299.tif 000008
【国際調査報告】
2021528299.tif 000009
2021528299.tif 000010
2021528299.tif 000011
2021528299.tif 000012